(57)【要約】【課題】肥料散布機の肥料収容容器に肥料を補給するのに装置が高い位置に設置してあるため補給が大変である。【解決手段】肥料収容容器と散布構造を分離させる構造にする、肥料を袋に入れて吊り下げる方法で散布構造部にホースで供給する事で肥料補給が低い位置も可能となり補給が楽になるともに簡単に取り外しが出来て終了時に手入れも楽になる、吊り下げ袋を数吊るす事で残肥料が少なくなったらホース差し替えで簡単に切り替えが出来て作業に支障が無い、散布構造も肥料排出に抵抗が少ない方法のペラにカバーを被せた構造。【選択図】図7
2014131490.tif 000002
【特許請求の範囲】
【請求項１】
片方に排出口が形成され反対側に円型受け皿容器構造と、筒長で肥料袋に被せることが出来る透明ビニール筒において、肥料が入った袋を立てた状態で筒長の透明ビニールを被せ、前記円型受け皿容器を前記肥料が入った袋に乗せて排出口位置で前記透明ビニール袋の端をゴム輪で縛り止め、前記ビニール袋を外側からヒモ編みで吊るせる構造の編み袋被せ逆さまにして吊るし前記円型円型受け皿容器出口内側から肥料袋を破く金具で操作し排出を特徴とする収容袋。
【請求項２】
請求項１記載の組み合わせた方法で吊り下げ肥料袋が無い状態で肥料を収容するのを特徴とする収容袋。
【発明の詳細な説明】
【技術分野】
【０００１】
本発明は、肥料を収容して散布作業をする肥料散布機の収容袋に関する物である。
【背景技術】
【０００２】
既存の肥料散布機は散布構造と肥料収容容器が一体構造で肥料の落下させる角度がゆるいと詰まるため高い位置に設置している
ために肥料供給が重労働である。
【０００３】
肥料散布機の散布構造が複雑でモーターの設置位置が下部にある為作業終了時に水洗いが出来ないので不便である。
【先行技術文献】
【特許文献】
【０００４】
【特許文献１】特開２００２−５８３１５号公報
【発明の概要】
【発明が解決しようとする課題】
【０００５】
解決しようとする問題点は、肥料の供給を楽にして肥料残量が外から確認出来るようにする、それには散布構造と収容容器を分離構造にすること、既存の文献は肥料の袋を載せて底を開く方法であるその方法では肥料がこぼれ残量が確認出来ない。
【課題を解決するための手段】
【０００６】
片方に排出口が形成され反対側に円型受け皿容器構造と、筒長で肥料袋に被せることが出来る透明ビニール筒において、肥料が入った袋を立てた状態で筒長の透明ビニールを被せ、前記円型受け皿容器を前記肥料が入った袋に乗せて排出口位置で前記透明ビニール袋の端をゴム輪で縛り止め、前記ビニール袋を外側からヒモ編みで吊るせる構造の編み袋被せ逆さまにして吊るし前記円型円型受け皿容器出口内側から肥料袋を破く金具で操作し排出を特徴とする収容袋。
【０００７】
肥料袋が無い状態で肥料袋を吊り下げた方法で収容するのを特徴とする収容袋。
【発明の効果】
【０００８】
本発明の収容袋は肥料を透明ビニール袋に入れて吊り下げるので肥料の残が外から確認出来る、複数吊り下げて置いて排出口を変える事で即供給可能追加補給時は吊り下げた状態でも追加補充できる利点もある。
【図面の簡単な説明】
【０００９】
【図１】図１は肥料の充填された袋図である。
【図２】図２は受け皿容器図である。
【図３】図３は透明ビニール筒図である
【図４】図４は肥料袋に受け皿ビニール筒組み込み図。
【図５】図５は編みネットを被せた図である。
【図６】図６は肥料袋底を破く構造の断面図。
【図７】図７は吊るした図。
【図８】図８は散布機の断面図。
【発明を実施するための形態】
【００１０】
トラックターの正面又は車輪カバー、ロータリー部に肥料袋が持ち上げられる高さに位置に横棒を伸ばし肥料袋を引っけ肥料袋から肥料をホースで散布構造に供給する、作業工程で散布要領が異なるので横棒場所の
図示場所の指定は無い。
【実施例１】
【００１１】
図１は、本発明装置の基となる肥料が充填された肥料袋図であって、2〜８図は、構成図である。
【００１２】
実施手順は肥料袋１を立てた状態に受け皿容器２を円型の皿状部を肥料袋１に被せた状態にする。
【００１３】
透明ビニール筒５を上から被せて受け皿容器２根本位置をゴム輪９で止める、図４、その状態に吊り受け座６を上から被せる、図５、その状態を逆さまにして吊り下げる、図７。
【００１４】
吊るした状態で肥料取り出し器３を上に差し込み右位置に回す事で固定され又袋を穴あけ刃４で破きシャッター１０の位置で肥料は停止、
肥料の排出開閉はシャッター１０の板を左側に押し込む事で開口部１４が左位置に移動して排出が出来る構造、図６。
【００１５】
図７は横棒１１に吊るした状態図、ホース12で散布構造に肥料を供給する構成、肥料追加はフック８を何本か外し吊るした状態でも補給可能である。
【００１６】
肥料１を吊るした状態を何本か備える事でホース１２の差し替えで肥料の供給が可能となる。
【００１７】
図8は散布機１５の断面図、肥料供給ホース１９から流れる肥料は箱内に溜り調整器１８を上げる事でペラ１７に当たる、モーター１６を回転させて肥料を散布ホースに流す構造。
【産業上の利用可能性】
【００１８】
既存の肥料収容容器より低い位置に吊るす方法であるため肥料の供給が楽になり、部品点数も少ないので安価に出来る。
【符号の説明】
【００１９】
１    肥料袋
２    受け皿容器
３    肥料取り出し器
４    穴あけ刃
５    透明ビニール筒
６   
吊り受け座
７    編みネット
８    フック
９    ゴム輪
１０  シャッター
１１  横棒
１２  ホース
１３  ハンドル
１４  開口部
１５  散布機
１６  モーター
１７  ペラ
１８  流量調整器
１９  肥料供給ホース
２０  散布ホース
【図１】
2014131490.tif 000003
【図２】
2014131490.tif 000004
【図３】
2014131490.tif 000005
【図４】
2014131490.tif 000006
【図５】
2014131490.tif 000007
【図６】
2014131490.tif 000008
【図７】
2014131490.tif 000009
【図８】
2014131490.tif 000010
【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
肥料が入った袋の一端側に、該袋に向けた側に凹状面を向け凸上面側の中央に筒状の排出口が設けられた円形受け皿容器を被せ、透明ビニール筒により前記肥料が入った袋を覆い、前記透明ビニール筒の一端をゴム輪で縛り止めて前記円形受け皿容器の筒状の排出口の外周に固定し、前記透明ビニール筒の前記一端側から編み袋を被せて前記一端側を下方に向けて吊るし、前記円形受け皿容器の筒状の排出口内に肥料取り出し機を差し込んで固定するとともに、該肥料取り出し機の先端に設けられた穴あけ刃により前記肥料が入った袋を破き、前記肥料取り出し機に接続されたホースにより散布構造への肥料供給を可能としたことを特徴とする肥料供給装置。
【請求項２】
請求項１に記載された肥料供給装置において、肥料が入った袋を用いることに代えて、透明ビニール筒内に直接肥料を収容することを特徴とする肥料供給装置。
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
肥料が入った袋の一端側に、該袋に向けた側に凹状面を向け凸状面側の中央に筒状の排出口が設けられた円形受け皿容器を被せ、透明ビニール筒により前記肥料が入った袋を覆い、前記透明ビニール筒の一端をゴム輪で縛り止めて前記円形受け皿容器の筒状の排出口の外周に固定し、前記透明ビニール筒の前記一端側から編み袋を被せて前記一端側を下方に向けて吊るし、前記円形受け皿容器の筒状の排出口内に肥料取り出し機を差し込んで固定するとともに、該肥料取り出し機の先端に設けられた穴あけ刃により前記肥料が入った袋を破き、前記肥料取り出し機に接続されたホースにより散布構造への肥料供給を可能としたことを特徴とする肥料供給装置。
【請求項２】
請求項１に記載された肥料供給装置において、肥料が入った袋を用いることに代えて、透明ビニール筒内に直接肥料を収容することを特徴とする肥料供給装置。